(57)【要約】【課題】ＣＤ−ＲＯＭやＤＶＤ−Ｒなどの記録媒体に記録されたデータの内容を、レーベル面に印刷した印刷画像から容易に判別できる印刷画像を生成する画像生成装置、画像生成方法、画像生成プログラムおよびその記録媒体を提供することを目的とする。【解決手段】印刷画像の対象となる複数の印刷対象画像から、印刷対象画像の画像データが有する第１の画像データ特性に基づいて第１の印刷画像を選択し、印刷対象画像の画像データが有する第２の画像データ特性に基づいて第２の印刷画像を選択し、第１の印刷画像から、レーベル面の全体に印刷するための全体画像領域を切り出し、第２の印刷画像から、レーベル面の所定の部分に印刷するための部分画像領域を切り出し、全体画像領域と部分画像領域を合成する。【選択図】図２
2007312275.tif 000002
【特許請求の範囲】
【請求項１】
ＣＤ−ＲＯＭやＤＶＤ−Ｒなどの記録媒体のレーベル面に印刷する印刷画像を生成する
画像生成装置であって、
前記印刷画像の対象となる複数の印刷対象画像を取得する印刷対象画像取得部と、
前記複数の印刷対象画像の画像データから第１の画像データ特性を有する印刷対象画像
を第１の印刷画像として選択する第１の印刷画像選択部と、
前記複数の印刷対象画像の画像データから第２の画像データ特性を有する印刷対象画像
を第２の印刷画像として選択する第２の印刷画像選択部と、
前記第１の印刷画像と前記第２の印刷画像とを合成して、前記レーベル面に印刷する前
記印刷画像を生成する印刷画像生成部とを備え、
前記印刷画像生成部は、
前記第１の印刷画像から、前記レーベル面の全体に印刷するための全体画像領域を切り
出し、前記第２の印刷画像から、前記レーベル面の所定の部分に印刷するための部分画像
領域を切り出して合成することを特徴とする画像生成装置。
【請求項２】
請求項１に記載の画像生成装置であって、
前記全体画像領域に対する前記部分画像領域の大きさと配置とを決定する配置決定部を
更に備え、
前記配置決定部は、予め大きさと配置が定められた配置テーブルを参照し、前記第２の
画像データ特性に応じて前記部分画像領域の大きさと配置を決定することを特徴とする画
像生成装置。
【請求項３】
請求項１または２に記載の画像生成装置であって、
前記第１の画像データ特性は、第１の色データ値に関する特性であり、前記第２の画像
データ特性は、第２の色データ値に関する特性であることを特徴とする画像生成装置。
【請求項４】
請求項１ないし３のいずれか一項に記載の画像生成装置であって、
前記第１の印刷画像が複数選択されたとき、第１の選択方法によって一つの第１の印刷
画像を決定する第１の印刷画像決定部を備えたことを特徴とする画像生成装置。
【請求項５】
請求項４に記載の画像生成装置であって、
前記第１の選択方法は、前記第１の印刷画像について、全体の画像領域と前記第１の色
データ値を有する画像領域との割合に基づいて選択する方法であることを特徴とする画像
生成装置。
【請求項６】
請求項１ないし３のいずれか一項に記載の画像生成装置であって、  
前記第２の印刷画像が複数選択されたとき、第２の選択方法によって印刷対象となる少
なくとも一つの第２の印刷画像を決定する第２の印刷画像決定部を備えたことを特徴とす
る画像生成装置。
【請求項７】
請求項６に記載の画像生成装置であって、  
前記第２の選択方法は、前記第２の印刷画像について、全体の画像領域と前記第２の色
データ値を有する画像領域との割合に基づいて選択する方法であることを特徴とする画像
生成装置。
【請求項８】
請求項１ないし３のいずれか一項に記載の画像生成装置であって、
第１の印刷画像を特定する第１の特定情報が記録された記録媒体から、前記第１の特定
情報を取得する第１の特定情報取得部を備え、
前記第１の印刷画像が複数選択されたとき、前記第１の印刷画像決定部は、前記第１の
特定情報に基づいて１つの第１の印刷画像を決定することを特徴とする画像生成装置。
【請求項９】
請求項１ないし３のいずれか一項に記載の画像生成装置であって、
第２の印刷画像を特定する第２の特定情報が記録された記録媒体から、前記第２の特定
情報を取得する第２の特定情報取得部を備え、
前記第２の印刷画像が複数選択されたとき、前記第２の印刷画像決定部は、前記第２の
特定情報に基づいて、少なくとも一つの第２の印刷画像を決定することを特徴とする画像
生成装置。
【請求項１０】
ＣＤ−ＲＯＭやＤＶＤ−Ｒなどの記録媒体のレーベル面に印刷する印刷画像を生成する
画像生成方法であって、
前記印刷画像の対象となる複数の印刷対象画像を取得する印刷対象画像取得工程と、
前記複数の印刷対象画像の画像データから第１の画像データ特性を有する印刷対象画像
を第１の印刷画像として選択する第１の印刷画像選択工程と、
前記複数の印刷対象画像の画像データから第２の画像データ特性を有する印刷対象画像
を第２の印刷画像として選択する第２の印刷画像選択工程と、
前記第１の印刷画像と前記第２の印刷画像とを合成して、前記レーベル面に印刷する前
記印刷画像を生成する印刷画像生成工程とを備え、
前記印刷画像生成工程は、
前記第１の印刷画像から、前記レーベル面の全体に印刷するための全体画像領域を切り
出し、前記第２の印刷画像から、前記レーベル面の所定の部分に印刷するための部分画像
領域を切り出して合成することを特徴とする画像生成方法。
【請求項１１】
ＣＤ−ＲＯＭやＤＶＤ−Ｒなどの記録媒体のレーベル面に印刷する印刷画像を生成する
画像生成プログラムであって、
前記印刷画像の対象となる複数の印刷対象画像を取得する印刷対象画像取得機能と、
前記複数の印刷対象画像の画像データから第１の画像データ特性を有する印刷対象画像
を第１の印刷画像として選択する第１の印刷画像選択機能と、
前記複数の印刷対象画像の画像データから第２の画像データ特性を有する印刷対象画像
を第２の印刷画像として選択する第２の印刷画像選択機能と、
前記第１の印刷画像と前記第２の印刷画像とを合成して、前記レーベル面に印刷する前
記印刷画像を生成する印刷画像生成機能とをコンピュータに実現させ、
前記印刷画像生成機能は、
前記第１の印刷画像から、前記レーベル面の全体に印刷するための全体画像領域を切り
出し、前記第２の印刷画像から、前記レーベル面の所定の部分に印刷するための部分画像
領域を切り出して合成することを特徴とする画像生成プログラム。
【請求項１２】
請求項１１に記載の画像処理プログラムを記録したコンピュータが読み取り可能な記録
媒体。
【発明の詳細な説明】
【技術分野】
【０００１】
本発明は、ＣＤ−ＲＯＭやＤＶＤ−Ｒなどの記録媒体のレーベル面に印刷する印刷画像
を生成する画像生成装置、画像生成方法、画像生成プログラムおよびその記録媒体に関す
る。
【背景技術】
【０００２】
従来、ＣＤ−ＲＯＭやＤＶＤ−Ｒなどの記録媒体に記録された画像データの内容を表わ
す複数の画像をレーベル面に印刷し、ＣＤ−ＲＯＭやＤＶＤ−Ｒなどの記録媒体を判別し
やすくする技術が開示されている。（例えば特許文献１）
【０００３】
【特許文献１】特開平１１−８６５０５号公報
【発明の開示】
【発明が解決しようとする課題】
【０００４】
しかしながら、特許文献１に開示された従来の技術では、レーベル面に印刷された画像
は、ＣＤ−ＲＯＭやＤＶＤ−Ｒなどの記録媒体に記録された画像データについて、記録さ
れた順番や、撮影した時刻の順番などのまま印刷されている。また、一つのレーベル面に
複数の画像が印刷されているので、個々の画像が小さく、印刷された画像の内容が見えに
くい場合がある。従って、このようなＣＤ−ＲＯＭやＤＶＤ−Ｒなどの記録媒体に記録さ
れた画像の内容を判別することが困難となる。本発明は、このような課題に鑑みてなされ
たものであり、ＣＤ−ＲＯＭやＤＶＤ−Ｒなどの記録媒体に記録された画像データの内容
を、レーベル面に印刷した印刷画像から容易に判別できる印刷画像を生成する画像生成装
置、画像生成方法、画像生成プログラムおよびその記録媒体を提供することを目的とする
。
【課題を解決するための手段】
【０００５】
上記課題を解決するために、本発明の画像生成装置は、ＣＤ−ＲＯＭやＤＶＤ−Ｒなど
の記録媒体のレーベル面に印刷する印刷画像を生成する画像生成装置であって、前記印刷
画像の対象となる複数の印刷対象画像を取得する印刷対象画像取得部と、前記複数の印刷
対象画像の画像データから第１の画像データ特性を有する印刷対象画像を第１の印刷画像
として選択する第１の印刷画像選択部と、前記複数の印刷対象画像の画像データから第２
の画像データ特性を有する印刷対象画像を第２の印刷画像として選択する第２の印刷画像
選択部と、前記第１の印刷画像と前記第２の印刷画像とを合成して、前記レーベル面に印
刷する前記印刷画像を生成する印刷画像生成部とを備え、前記印刷画像生成部は、前記第
１の印刷画像から、前記レーベル面の全体に印刷するための全体画像領域を切り出し、前
記第２の印刷画像から、前記レーベル面の所定の部分に印刷するための部分画像領域を切
り出して合成することを要旨とする。
【０００６】
この構成によれば、ＣＤ−ＲＯＭやＤＶＤ−Ｒなどの記録媒体に記録されている画像デ
ータのうちから、特徴のある画像データ特性に着目して、第１の印刷画像と第２の印刷画
像を決定し、レーベル面の印刷領域の全体に印刷する印刷画像と部分画像とが生成される
ので、ユーザーは第１の印刷画像と第２の印刷画像の内容を認識することが容易となり、
レーベル面に印刷されたＣＤ−ＲＯＭやＤＶＤ−Ｒなどの記録媒体に記録されている画像
の内容を容易に判別できるようになる。また、レーベル面の印刷領域の全体に印刷する印
刷画像が生成されるので、大きな印刷画像が得られることから、印刷された画像の内容が
見易く、視認性が向上した印刷画像が生成できる。
【０００７】
また、本発明の画像生成装置は、全体画像領域に対する前記部分画像領域の大きさと配
置とを決定する配置決定部を、更に備え、前記配置決定部は、予め大きさと配置が定めら
れた所定の配置テーブルを参照し、前記第２の画像データ特性に応じて前記部分画像領域
の大きさと配置を決定してもよい。
【０００８】
この構成によれば、例えば、部分画像領域について、視認性の良い大きさと配置を予め
配置テーブルとして定めておき、第２の画像特性に応じてこの配置テーブルを参照し、大
きさと配置を決定する。従って、第２の印刷画像の部分画像領域は、視認性の良い大きさ
と位置になるので、ユーザーは、部分画像領域の内容を認識しやすくなり、ＣＤ−ＲＯＭ
やＤＶＤ−Ｒなどの記録媒体に記録されている画像の内容を容易に判別できるようになる
。
【０００９】
また、本発明の画像生成装置において、第１の画像データ特性は、第１の色データ値に
関する特性であり、第２の画像データ特性は、第２の色データ値に関する特性であること
としてもよい。
【００１０】
印刷対象画像に写っている被写体の種類によって、印刷対象画像が有する色データ値に
関する特性は異なっている。例えば、青い空や新緑の山などが写った画像には、青色や緑
色を表す色データ値を有する画素が多く存在する。そこで、青色や緑色といった特定の色
データ値に着目し、この色データ値を有する画素が多く存在する印刷対象画像を選択する
ことにより、青い空や新緑の山などが写った印刷対象画像を選択することができる。従っ
て、着目した特定の色データ値を第１の色データ値とし、この第１の色データ値を有する
画素の数を第１の画像データ特性とすることによって、第１の印刷画像を選択することが
可能となる。
【００１１】
また、本発明の画像生成装置は、第１の印刷画像が複数選択されたとき、第１の選択方
法によって一つの第１の印刷画像を決定する第１の印刷画像決定部を備えてもよい。
【００１２】
この構成によれば、第１の印刷対象画像が複数選択されたとき、第１の選択方法を用い
て自動で一つの第１の印刷対象画像を決定できるので、ユーザーが、例えば、マウスやキ
ーボードなどから操作を行って、第１の印刷画像を決定するといった面倒な作業を回避で
きる。
【００１３】
ここで、第１の選択方法は、第１の印刷画像について、全体の画像領域と第１の色デー
タ値を有する画像領域との割合に基づいて選択する方法としてもよい。
【００１４】
特定の被写体が写った画像領域における画素の色データ値は、特定の色データ値を有し
ている。例えば、青い空や新緑の山などが写った画像には、青や緑色を表す色データ値が
多く存在する。そこで、青色や緑色などを第１の色データ値とし、この第１の色データ値
を有する画像領域と全体画像領域との割合が最も大きい割合になる画像を選択すれば青空
や新緑の山が写った画像を一つの第１の印刷画像として選択することができる。
【００１５】
また、本発明の画像生成装置は、第２の印刷画像が複数選択されたとき、第２の選択方
法によって印刷対象となる少なくとも一つの第２の印刷画像を決定する第２の印刷画像決
定部を備えてもよい。
【００１６】
この構成によれば、複数の第２の印刷対象画像から、第２の選択方法を用いて自動で一
つの第２の印刷対象画像を決定できるので、ユーザーが、例えば、マウスやキーボードな
どから操作を行って、第２の印刷画像を決定するといった面倒な作業を回避できる。
【００１７】
ここで、第２の選択方法は、第２の印刷画像について、全体の画像領域と第２の色デー
タ値を有する画像領域との割合に基づいて選択する方法としてもよい。
【００１８】
たとえば、人物の顔が写った画像領域には、肌色などの特定の色データ値を有する画素
が多く存在する。そこで、肌色を第２の色データ値として、この色データ値を有する画像
領域と全体画像領域との割合が最も大きい割合となる画像を選択することによって人の顔
が写った画像を、少なくとも一つの第２の印刷画像として選択することができる。
【００１９】
また、本発明の画像生成装置は、第１の印刷画像を特定する第１の特定情報が記録され
た記録媒体から、前記第１の特定情報を取得する第１の特定情報取得部を備え、前記第１
の印刷画像が複数選択されたとき、前記第１の印刷画像決定部は、前記第１の特定情報に
基づいて一つの第１の印刷画像を決定してもよい。
【００２０】
この構成によれば、ユーザーが所望する画像を特定情報として記録した記録媒体によっ
て、一つの第１の印刷画像を選択することができる。従って、例えば、ユーザーにとって
印象に残る画像がレーベル面の印刷領域の全体に印刷されるので、ＣＤ−ＲＯＭやＤＶＤ
−Ｒに記録された画像データの内容を容易に判別できることになる。
【００２１】
また、本発明の画像生成装置は、第２の印刷画像を特定する第２の特定情報が記録され
た記録媒体から、前記第２の特定情報を取得する第２の特定情報取得部を備え、前記第２
の印刷画像が複数選択されたとき、前記第２の印刷画像決定部は、前記第２の特定情報に
基づいて少なくとも一つの第２の印刷画像を決定してもよい。
【００２２】
この構成によれば、ユーザーが所望する画像を特定情報として記録した記録媒体によっ
て、少なくとも一つの第２の印刷画像を選択することができる。従って、例えば、ユーザ
ーにとって関心の高い被写体やユーザーの趣味に関する被写体が写った画像がレーベル面
に印刷されるので、ユーザーはＣＤ−ＲＯＭやＤＶＤ−Ｒに記録された画像の内容を容易
に判別できることになる。
【００２３】
また、本発明を画像生成方法と捉えることもできる。すなわち、ＣＤ−ＲＯＭやＤＶＤ
−Ｒなどの記録媒体のレーベル面に印刷する印刷画像を生成する画像生成方法であって、
前記印刷画像の対象となる複数の印刷対象画像を取得する印刷対象画像取得工程と、前記
複数の印刷対象画像の画像データから第１の画像データ特性を有する印刷対象画像を第１
の印刷画像として選択する第１の印刷画像選択工程と、前記複数の印刷対象画像の画像デ
ータから第２の画像データ特性を有する印刷対象画像を第２の印刷画像として選択する第
２の印刷画像選択工程と、前記第１の印刷画像と前記第２の印刷画像とを合成して、前記
レーベル面に印刷する前記印刷画像を生成する印刷画像生成工程とを備え、前記印刷画像
生成工程は、前記第１の印刷画像から、前記レーベル面の全体に印刷するための全体画像
領域を切り出し、前記第２の印刷画像から、前記レーベル面の所定の部分に印刷するため
の部分画像領域を切り出して合成することを要旨とする。
【００２４】
また、本発明は、コンピュータプログラムおよびそのプログラムを記録した記録媒体と
しても捉えることもできる。すなわち、ＣＤ−ＲＯＭやＤＶＤ−Ｒなどの記録媒体のレー
ベル面に印刷する印刷画像を生成する画像生成プログラムであって、前記印刷画像の対象
となる複数の印刷対象画像を取得する印刷対象画像取得機能と、前記複数の印刷対象画像
の画像データから第１の画像データ特性を有する印刷対象画像を第１の印刷画像として選
択する第１の印刷画像選択機能と、前記複数の印刷対象画像の画像データから第２の画像
データ特性を有する印刷対象画像を第２の印刷画像として選択する第２の印刷画像選択機
能と、前記第１の印刷画像と前記第２の印刷画像とを合成して、前記レーベル面に印刷す
る前記印刷画像を生成する印刷画像生成機能とをコンピュータに実現させ、前記印刷画像
生成機能は、前記第１の印刷画像から、前記レーベル面の全体に印刷するための全体画像
領域を切り出し、前記第２の印刷画像から、前記レーベル面の所定の部分に印刷するため
の部分画像領域を切り出して合成することを要旨とする。
【００２５】
記録媒体としては、フレキシブルディスクやＣＤ−ＲＯＭ、ＩＣカード、パンチカード
など、コンピュータが読み取り可能な種々の媒体を利用できる。
【発明を実施するための最良の形態】
【００２６】
（第１の実施例）
図１は、本発明の第１の実施例における画像生成装置のハードウェア構成を示す説明図
である。図１に示すように、画像生成装置１は、汎用コンピュータであり、ＣＰＵ２、Ｒ
ＯＭ３、ＲＡＭ４、ハードディスク５、入出力インターフェース（Ｉ／Ｆ）７から構成さ
れ、それらはバス６を介して互いに接続されている。画像生成装置１には入出力Ｉ／Ｆ７
を介してＣＤ−ＲＯＭドライブ８、ＤＶＤ−Ｒドライブ９が接続されている。
【００２７】
画像生成装置１は、ＣＰＵ２が、ＲＯＭ３またはハードディスク５に記憶している画像
生成処理プログラムを読み出して実行することにより、図２に示した各部として機能し、
それぞれの処理を行うことで印刷画像を生成するものである。ＣＰＵ２が実行する画像生
成処理プログラムは、予めハードディスク５やＲＯＭ３に格納されていてもよいし、ＣＤ
−ＲＯＭドライブ８が読み取ったプログラムをハードディスク５に格納するものとしても
よい。また、インターネットなどのネットワーク手段を介して、画像表示プログラムを供
給するサーバー等にアクセスし、データをダウンロードすることによってハードディスク
５に格納するものとしてもよい。
【００２８】
図２は、画像生成装置１の機能ブロック構成を示すブロック図である。画像生成装置１
は、印刷対象画像取得部２０、第１の印刷画像選択部２１、第１の印刷画像決定部２２、
第２の印刷画像選択部２３、第２の印刷画像決定部２４、配置決定部２５、印刷画像生成
部２６を備えている。
【００２９】
図２に示した各部が行う処理を順次説明する。もとより、各部がそれぞれの処理を行う
ことによって画像生成装置として機能するのである。印刷対象画像取得部２０は、印刷対
象画像を取得する。ＣＰＵ２は、入出力Ｉ／Ｆ７を介して、ＣＤ−ＲＯＭなどに記録され
ている印刷対象画像を読み取り、複数の印刷対象画像をハードディスク５に格納し取得す
る。例えば、レーベル面への印刷対象となる記録媒体がＣＤ−ＲＯＭであれば、ＣＤ−Ｒ
ＯＭドライブ８を用いて印刷対象画像を取り込む。
【００３０】
第１の印刷画像選択部２１は、ハードディスク５に格納された印刷対象画像の画像デー
タから第１の画像データ特性を有する印刷対象画像を第１の印刷画像として選択する。印
刷対象画像の画像データは、画素ごとに、Ｒ（赤）、Ｇ（緑）、Ｂ（青）の色別に各８ビ
ットで表した多階調値のデータである。従って、各画素の色データ値は、Ｒ、Ｇ、Ｂ各色
が０から２５５までの２５６種類の階調値で表わされる。そこで、本実施例では、第１の
画像データ特性として、Ｒ，Ｇ、Ｂの各階調値で表された第１の色データ値を有する画素
の数とする。
【００３１】
ところで、特定の被写体が写っている部分の画像領域は、特定の色データ値を有する画
素数が多くなるという特性がある。たとえば、青空を被写体とした画像領域は、青の色デ
ータ値の画素の数が多いという特性がある。
【００３２】
そこで、第１の印刷画像選択部２１は、第１の印刷画像の全体の画像領域の画素数と第
１の色データ値を有する画像領域の画素数との割合を算出し、所定の範囲の割合に該当す
る第１の印刷画像を選択することにより、特定の被写体が写った第１の印刷画像を選択す
ることができる。
【００３３】
例えば、第１の印刷画像の全体領域が有する画素数とＢ（青）の色データ値を有する画
像領域の画素数との割合を算出し、割合が、所定の範囲に該当する第１の印刷画像を選択
することにより、青空が写った第１の印刷画像を選択できる。所定の範囲は、プログラム
にデフォルトで設定しておいてもよいし、図示しないキーボードなどの入力手段を用いて
、ユーザーが所定の範囲を示すデータを入力することで設定してもよい。
【００３４】
次に、第１の印刷画像決定部２２は、第１の印刷画像選択部２１により選択された一つ
を含む複数の第１の印刷画像のうちから第１の選択方法によって、一つの第１の印刷画像
を決定する。もとより、選択された第１の印刷画像が一つの場合は、第１の印刷画像決定
部２２の処理は行わなくても良い。
【００３５】
本実施例では、第１の選択方法は、第１の印刷画像の全体画像領域の画素数と第１の色
データ値が有する領域の画素数の割合が、所定の割合にもっとも近い割合である印刷対象
画像を選択する方法とする。もとより、もっとも大きい割合を有する画像を第１の印刷画
像としてもよい。あるいは、もっとも小さい割合を有する画像を第１の印刷画像としても
よい。
【００３６】
一方、第２の印刷画像選択部２３は、ハードディスク５に格納された印刷対象画像の画
像データから第２の画像データ特性を有する印刷対象画像を第２の印刷画像として選択す
る。第２の画像データ特性として、第２の色データ値を有する画素の数とする。
【００３７】
前述したように、特定の被写体が写っている部分の画像領域は、特定の色データ値を有
する画素数が多いという特性がある。例えば、人物の顔など肌色の部分が写っている部分
の画像領域は、肌色の色データ値の画素が多いという特性がある。
【００３８】
そこで、第２の印刷画像選択部２３は、第２の印刷画像の全体の画像領域の画素数と第
２の色データ値を有する画像領域の画素数との割合を算出し、割合が所定の範囲に該当す
る第２の印刷画像を選択することにより、特定の被写体が写った第２の印刷画像を選択す
ることができる。本実施例では、第２の色データ値を肌色の色データ値とすることで、人
物の顔などの肌色の部分が写っている画像を第２の印刷画像として選択するものとする。
【００３９】
次に、第２の印刷画像決定部２４は、第２の印刷画像選択部２３により選択された一つ
を含む複数の第２の印刷画像のうちから第２の選択方法によって、少なくとも一つの第２
の印刷画像を決定する。もとより、選択された第２の印刷画像が一つの場合は、第２の印
刷画像決定部２４の処理は行わなくても良い。
【００４０】
本実施例では、第２の選択方法は、第２の印刷画像の全体画像領域の画素数と第２の色
データ値が有する領域の画素数の割合が、所定の割合にもっとも近い割合である印刷対象
画像を選択する方法とする。もとより、もっとも大きい割合を有する画像を第２の印刷画
像としてもよい。あるいは、もっとも小さい画像を第２の印刷画像としてもよい。
【００４１】
次に、配置決定部２５は、大きさと配置が定められた所定の配置テーブルを参照し、第
２の画像データ特性に応じて、全体画像領域に対する部分画像領域の大きさと配置を決定
する。図３は、参照する配置テーブルを示す説明図である。尚、本実施例では、配置テー
ブルは、予めＲＯＭ３に格納されているものとする。もとより、図示しない入力手段を用
いて、ユーザーが大きさと配置を入力することとしてもよい。
【００４２】
図３にて一点鎖線で示したドーナツ状の領域Ｘは、レーベル面の全体印刷領域を示して
いる。図３でハッチング部で示したように、レーベル面の全体印刷領域Ｘの左側、右側、
下側、上側には、それぞれ配置領域Ｙ１、Ｙ２、Ｙ３、Ｙ４が、予め割り当てられている
。
【００４３】
このように、予め大きさと配置が定められた図３に示した配置テーブルを参照し、配置
決定部２５は、第２の印刷画像が有する第２の画像データ特性に応じて、全体画像領域に
対する部分画像領域の大きさと配置を決定する。尚、部分画像領域は、第２の印刷画像か
ら切り出される画像領域であり、後ほど、印刷画像生成部２６が行う処理において説明す
る。
【００４４】
部分画像領域の大きさと配置を決定する様子を図４を用いて説明する。図４（ａ）は、
第２の印刷画像がレーベル面の全体印刷領域Ｘの左側の配置領域Ｙ１に配置され、図４（
ｂ）は、第２の印刷画像がレーベル面の全体印刷領域Ｘの右側の配置領域Ｙ２に配置され
、図４（ｃ）は、第２の印刷画像がレーベル面の全体印刷領域Ｘの下側の配置領域Ｙ３に
配置されることを示している。本実施例では、図３のレーベル面の全体印刷領域Ｘの上側
の配置領域Ｙ４には、タイトルなどの文字を印刷し、第２の印刷画像は配置しないことと
する。もとより、Ｙ４を含めて配置することとしても差し支えない。
【００４５】
まず、図４（ａ）に示した第２の印刷画像Ｂ１が、レーベル面の全体印刷領域Ｘの左側
の配置領域Ｙ１に配置される場合について説明する。配置決定部２５は、第２の印刷画像
Ｂ１において、人物の顔の向きを色データ値から検出する。顔の向きを検出する方法は、
顔の領域における左右の領域の差から検出する方法などの公知の技術を用いればよい。そ
して、検出の結果、選択された第２の印刷画像Ｂ１における顔の向きは図面右方向である
ので、配置決定部２５は、顔の向きがレーベル面の中心方向に向くように、配置領域Ｙ１
を、第２の印刷画像から切り出される部分画像領域の大きさと配置として決定する。
【００４６】
次に、図４（ｂ）に示した第２の印刷画像Ｂ２が、レーベル面の全体印刷領域Ｘの右側
の配置領域Ｙ２に配置される場合について説明する。配置決定部２５は、第２の印刷画像
において、人物の顔の向きを色データ値から検出する。上述した検出方法を用いて、顔が
図面左方向を向いていることを検出する。そして、配置決定部２５は、顔の向きがレーベ
ル面の中心方向に向くように、配置領域Ｙ２を、部分画像領域の大きさと配置として決定
する。
【００４７】
また、図４（ｃ）に示した第２の印刷画像Ｂ３が、レーベル面の全体印刷領域Ｘの下側
の配置領域Ｙ３に配置される場合について説明する。配置決定部２５は、第２の印刷画像
において、人物の顔の向きを色データ値から検出する。上述した検出方法を用いて、顔が
図面正面方向を向いていることを検出する。そして、配置決定部２５は、顔が正面を向い
ているので、レーベル面の中心に位置する配置領域Ｙ３を、部分画像領域の大きさと配置
として決定する。
【００４８】
このように、配置決定部２５は、第２の印刷画像決定部２４によって決定された第２の
印刷画像が有する第２の色データ値から、被写体における人物の顔の向きを検出し、全体
画像領域Ｘに対する部分画像領域の大きさと配置を決定する。
【００４９】
次に、印刷画像生成部２６は、第１の印刷画像から、レーベル面の全体に印刷するため
の全体画像領域を切り出し、第２の印刷画像から、レーベル面の所定の部分に印刷するた
めの部分画像領域を切り出して合成する。
【００５０】
図５は、印刷画像生成部２６が行う処理のフローチャートである。以下、図５のフロー
チャートに従って説明する。尚、説明の理解を容易にするため、適宜、図６を参照する。
【００５１】
図６は、第１の印刷画像から、レーベル面の全体に印刷するための全体画像領域を切り
出し、第２の印刷画像から、レーベル面の所定の部分に印刷するための部分画像領域を切
り出して合成する方法を説明した図である。画像Ａ１は、第１の印刷画像決定部２２によ
って決定された第１の印刷画像である。画像Ｂ１は、第２の印刷画像決定部２４によって
決定された第２の印刷画像である。
【００５２】
まず、ステップＳ１０１にて、第１の印刷画像Ａ１をレーベル面の全体印刷領域Ｘに全
て含まれる最小の大きさに拡大または縮小処理する。本実施例では、第１の印刷画像は横
長矩形形状を有する画像とし、図６の左側に示したように、レーベル面の全体印刷領域Ｘ
の縦の長さに一致するように拡大して、第１の印刷画像Ａ１Ｅを生成する。
【００５３】
次に、ステップＳ１０２にて、全体画像領域の切り出し処理を行う。拡大された第１の
印刷画像Ａ１Ｅを、レーベル面の全体印刷領域Ｘの外周（細い一点鎖線）に沿って切り出
し、全体画像領域Ａ１ＥＰを生成する。
【００５４】
次に、ステップＳ１０３にて、部分画像領域の切り出しを行う。本実施例では、図６の
右側に示した様に、第２の印刷画像Ｂ１から肌色の色データ値を有する画像領域を顔部分
と想定し、これを基準に図中破線で示した所定の画像領域を部分画像領域として切り出す
。例えば、顔部分を基準にしてほぼ体全体の領域と想定される領域を所定の領域として設
定すれば、おおよそ人物全体の画像のみを切り出せる可能性が高い。従って、本実施例で
は、このように所定の領域を設定し、この所定の領域に従って第２の印刷画像Ｂ１から部
分画像領域Ｂ１Ｐを切り出す。
【００５５】
次に、ステップＳ１０４にて、第２の印刷画像Ｂ１から切り出した部分画像領域Ｂ１Ｐ
を、配置領域において定められている大きさに収まる画像に拡大または縮小処理する。図
６に示した例では、前述した配置決定部２５にて配置領域Ｙ１が決定されているので、図
６の右側に示したように、部分画像領域Ｂ１Ｐを配置領域Ｙ１に内接するように、縮小し
て部分画像領域Ｂ１ＰＲを生成する。
【００５６】
そして、ステップＳ１０５にて、ステップＳ１０２で生成された全体画像領域Ａ１ＥＰ
に、ステップＳ１０４で生成された部分画像領域Ｂ１ＰＲを、上書きして合成し、図６に
示した印刷画像Ｃ１を生成する。尚、図６に示した例では、部分画像領域Ｂ１ＰＲは配置
領域Ｙ１において、左右方向については、中心位置に配置するものとした。もとより、配
置領域Ｙ１に内接し、レーベル面の中心に最も近い位置、もしくは最も遠い位置に配置す
るものとしてもよい。
【００５７】
このようにして、画像生成装置は、レーベル面に印刷する印刷画像を生成する。従って
、印刷された第１の印刷画像と第２の印刷画像とから、記録媒体に記録された画像データ
の内容を知ることができるので、ユーザーはレーベル面に印刷された特徴のある印刷画像
を見ることによって、ＣＤ−ＲＯＭやＤＶＤ−Ｒなどの記録媒体に記録されている画像の
内容を容易に判別できるようになる。また、レーベル面の印刷領域の全体に印刷する印刷
画像が生成されることから、画像が視認し易く、ＣＤ−ＲＯＭやＤＶＤ−Ｒなどの記録媒
体に記録されている画像の内容を容易に判別できるようになる。
【００５８】
（第２の実施例）
次に、第１の実施例では、印刷対象画像の決定と、全体画像領域における部分画像領域
の大きさと配置の決定とを画像データ特性によって行い、レーベル面に印刷する印刷画像
を生成したが、第２の実施例では、印刷対象画像の決定と全体画像領域における部分画像
領域の大きさと配置の決定を、記録媒体に記録された特定情報によって行い、レーベル面
に印刷する印刷画像を生成する。
【００５９】
図７は、第２の実施例におけるハードウェア構成を説明したブロック図である。図７は
、図１に示した第１の実施例におけるハードウェア構成に、入出力Ｉ／Ｆ７を介して、ス
キャナ装置１０を接続したものである。スキャナ装置１０によって、記録媒体に記録され
た特定情報を読み取るのである。
【００６０】
図８は、第２の実施例における画像生成装置の機能ブロック構成を示すブロック図であ
る。図８は、図２に示した第１の実施例における画像生成装置の機能ブロック構成に、第
１の特定情報取得部３０と第２の特定情報取得部３１とを追加し備えたものである。尚、
図８に示した第２の実施例で説明する第１の印刷画像決定部２２ａ、第２の印刷画像決定
部２４ａおよび配置決定部２５ａは、図２に示した第１の印刷画像決定部２２、第２の印
刷画像決定部２４および配置決定部２５が行う処理と処理内容が異なる。
【００６１】
図８に示した各部が行う処理を順次、説明する。尚、第１の印刷画像選択部２１、第２
の印刷画像選択部２３は、第１の実施例と同処理を行うため、ここでは説明を省略し、こ
れ以降の処理について説明する。第１の特定情報取得部３０は、記録媒体から、一つの第
１の印刷画像を特定する第１の特定情報を取得する。スキャナ装置１０によって、第１の
特定情報が記録された記録媒体を読み取り、読み取った記録媒体の画像データをＲＡＭ４
に格納し取得する。
【００６２】
ここで、スキャナ装置１０によって読み取られる記録媒体について説明する。記録媒体
は、第１の印刷画像選択部２１、第２の印刷画像選択部２３の処理によって選択された印
刷対象画像を、後述するチェックボックスを付加した所定のフォーマットで用紙に印刷し
て作成したものである。このような記録媒体の作成方法については本発明の主旨ではない
ので、ここでは説明を省略する。
【００６３】
図９に示した記録媒体には、選択された第１の印刷画像と第２の印刷画像が、例えばサ
ムネイル画像などの縮小画像で印刷されている。印刷された画像の順番は、撮影された日
時が時系列に古い順番に印刷されている。本実施例では、図示するように、時系列で古い
順に、左から右、上から下のラスタ−の順に、上半分に第１の印刷画像として選択された
６枚のサムネイル画像が、下半分に第２の印刷画像として選択された６枚のサムネイル画
像が印刷されている。もとより、ＣＤ−ＲＯＭやＤＶＤ−Ｒに記録された画像データの個
数全てが印刷されることとしてもよい。また、記録媒体の枚数も複数枚としてもよい。
【００６４】
図９に示した各サムネイル画像うち上半分の６枚には、それぞれチェックボックスα１
が描かれている。このチェックボックスは、ユーザーが手書きによってマークを記入する
エリアであり、ユーザーは例えば、β１のようなマークを描く。
【００６５】
また、図９に示した各サムネイル画像のうち下半分の６枚には、それぞれチェックボッ
クスα２、α３、α４、α５が描かれている。このチェックボックスは、ユーザーが手書
きによってマークを記入するエリアであり、ユーザーは例えば、β２、β３のようなマー
クを描く。
【００６６】
ユーザーは、所望するサムネイル画像を第１の印刷画像として選択する場合に、そのサ
ムネイル画像の上部にあるチェックボックスα１にマークを記入する。また、所望するサ
ムネイル画像を第２の印刷画像として選択する場合に、そのサムネイル画像の上部にある
チェックボックスα２にマークを記入する。ちなみに、図９では、マークβ１がチェック
ボックスα１に記入されているサムネイル画像Ｅ１が、第１の印刷画像として選択された
ことを示している。また、マークβ２がチェックボックスα２にマークが記入されている
サムネイル画像Ｅ２が第２の印刷画像として選択されたことを示している。
【００６７】
次に、第１の特定情報取得部３０は、ＲＡＭ４に格納された記録媒体の画像データから
マークβ１を認識し、マークβ１が記入されたチェックボックスの印刷位置の情報から図
９のサムネイル画像Ｅ１を抽出する。このように、第１の特定情報取得部３０は、マーク
β１が記入されたチェックボックスの印刷位置の情報を第１の特定情報として取得し、第
１の特定情報からサムネイル画像Ｅ１を抽出する。
【００６８】
第１の印刷画像決定部２２ａは、第１の特定情報取得部３０によって抽出されたサムネ
イル画像Ｅ１と第１の印刷画像選択部２１によって選択された複数の第１の印刷画像とを
パターンマッチングにより照合し、照合によりサムネイル画像Ｅ１と一致した第１の印刷
画像を一つの第１の印刷画像として決定する。従って、マークβ１が記入されたチェック
ボックスの印刷位置の情報によってサムネイル画像が特定され、特定されたサムネイル画
像と複数の第１の印刷画像とを照合することにより一つの第１の印刷画像が決定されたこ
とになる。尚、マークが二つ以上のチェックボックスに記入されていた場合は、二つ以上
記入されていたことを通知したり、左上の画像から、左から右、上から下のラスタ−の順
において、マークされた一番目のサムネイル画像に対応する第１の印刷画像を一つの第１
の印刷画像として決定したりすることとしてもよい。
【００６９】
次に、第２の特定情報取得部３１は、ＲＡＭ４に格納された記録媒体の画像データから
マークβ２とβ３を認識し、マークβ２とβ３が記入されたチェックボックスの印刷位置
の情報を取得する。マークβ２が記入されたチェックボックスの印刷位置の情報から図９
のサムネイル画像Ｅ２を抽出する。また、マークβ３が記入されたチェックボックスの印
刷位置の情報を取得する。このように、第２の特定情報取得部３１は、マークβ２及びβ
３が記入されたチェックボックスの印刷位置の情報を第２の特定情報として取得し、この
特定情報からサムネイル画像Ｅ２を抽出する。
【００７０】
第２の印刷画像決定部２４ａは、第２の特定情報取得部３１によって抽出されたサムネ
イル画像Ｅ２と第２の印刷画像選択部２３によって選択された複数の第２の印刷画像とを
パターンマッチングにより照合し、照合によりサムネイル画像Ｅ２と一致した第２の印刷
画像を一つの第２の印刷画像として決定する。従って、マークβ２が記入されたチェック
ボックスの印刷位置の情報によってサムネイル画像が特定され、特定されたサムネイル画
像と複数の第２の印刷画像とを照合することにより一つの第２の印刷画像が決定されたこ
とになる。尚、配置する場所が３つあることから、配置する画像の個数は３つまで選択可
能としてもよい。この場合、配置する画像の個数だけのサムネイル画像と照合し一致する
第２の印刷画像を第２の印刷画像として決定する。
【００７１】
配置決定部２５ａは、前述の第２の特定情報取得部３１が取得した第２の特定情報であ
るマークβ３が記入されたチェックボックスの印刷位置の情報から、配置テーブルを参照
し、全体画像領域に対する部分画像領域の大きさと配置を決定する。ここで、全体画像領
域に対する部分画像領域の大きさと配置を決定する方法を、図１０を用いて説明する。
【００７２】
図１０に示したサムネイル画像Ｅ２は、図９に示した記録媒体の右下に描かれたサムネ
イル画像Ｅ２と周囲のチェックボックスを示したものである。サムネイル画像Ｅ２の周囲
にあるチェックボックスα３、α４、α５のうちユーザーがマークを記入したチェックボ
ックスの位置によって、配置決定部２５ａは、配置テーブルを参照し、配置領域を決定す
る。図１０（ａ）に示した様にチェックボックスα３にマークβ３が記入されているため
、配置領域Ｙ１を決定したことを示す。従って、例えば、図１０（ｂ）に示した様にチェ
ックボックスα４にマークβ４を記入した場合は、配置領域Ｙ２を決定したことを意味す
る。図１０（ｃ）に示した様に、チェックボックスα５にマークβ５を記入した場合は、
配置領域Ｙ３を決定したことを示す。このように配置決定部２５ａは、全体画像領域に対
する部分画像領域の大きさと配置を決定する。
【００７３】
印刷画像生成部２６は、第１の実施例と同様の処理を行い、第１の印刷画像決定部２２
ａによって決定された第１の印刷画像から、レーベル面の全体に印刷するための全体画像
領域を切り出し、第２の印刷画像決定部２４ａによって決定された第２の印刷画像から、
配置決定部２５ａによって決定された配置領域に印刷するための部分画像領域を切り出し
て合成する。
【００７４】
上述したように記録媒体を用いることによって、ＣＤ−ＲＯＭやＤＶＤ−Ｒに記録され
た画像データの内容を表す画像を一覧として印刷するので、ユーザーにとって、最も印象
的な画像や関心の高い画像を一覧として印刷された画像から選択することができるように
なる。従って、レーベル面に印刷された印刷画像は、ユーザーにとって印象的な画像や関
心の高い印刷画像となるので、ＣＤ−ＲＯＭやＤＶＤ−Ｒなどの記録媒体に記録されてい
る画像の内容を容易に判別できるようになる。
【００７５】
以上、本発明について実施例を用いて説明したが、本発明は、こうした実施例に何ら限
定されるものではなく、本発明の趣旨を逸脱しない範囲において様々な形態で実施得るこ
とは勿論である。例えば、次のような変形が可能である。
【００７６】
第１の画像データ特性または第２の画像データ特性を、エッジデータに関する特性とし
てもよい。周知の様に、画像の色データ値の変化を抽出するエッジデータは、印刷対象画
像において被写体がボケている画像や色が入り混じった風景画像では、変化率が小さく、
エッジの抽出が難しい。一方、ピントが合っている画像や色領域が大きく変化する建物や
人物が写った画像では、変化率が大きくエッジが抽出され易い。
【００７７】
従って、色データ値の変化が所定の変化率を有するエッジデータを画像データ特性とし
、エッジデータの有無によって、第１の印刷画像または第２の印刷画像を選択することと
してもよい。
【００７８】
例えば、風景画像を第１の印刷画像として選択する場合は、エッジデータが存在しない
印刷対象画像を選択すればよい。また、人物が大きく写っている画像を第２の印刷画像と
して選択する場合は、エッジデータが存在する印刷対象画像を選択すればよい。
【００７９】
あるいは、実施例では、第２の印刷画像を人物が写っている画像として説明したが、こ
れに限らず、犬や猫などの動物や、建物などの構造物が写っている画像としてもよい。こ
れらが写った印刷対象画像の選択については、これらを特定できる色を設定し、設定した
色を表す色データ値を有する画素数を、第２の画像データ特性として用いればよい。
【００８０】
また、第１の画像データ特性と第２の画像データ特性は、カメラで撮影したときに、カ
メラの設定ボタンにより付加された被写体の種類に関する撮影情報としてもよい。例えば
、撮影画像に付加された撮影情報が風景として設定した画像を第１の印刷画像として選択
したり、撮影情報が人物として設定した画像を第２の印刷画像として選択したりできる。
このような撮影情報としては、Ｅｘｉｆ（登録商標）データが利用できる。こうすれば、
ユーザーの関心のある被写体が写った画像や趣味に関する被写体が写った画像を第１の印
刷画像と第２の印刷画像として選択できる。
【００８１】
また、第１の印刷画像を決定する第１の選択方法と第２の印刷画像を決定する第２の選
択方法は、印刷対象画像から作成したサムネイル画像を図示しない液晶表示装置に表示し
、図示しないマウスまたはキーボードによる操作により、ユーザーが第１の印刷画像と第
２の印刷画像の決定を行うことによって選択する方法としてもよい。こうすれば、ユーザ
ーは、表示したサムネイル画像を見ながら選択できる。
【００８２】
また、本発明の実施例では、参照する配置テーブルに配置した配置領域の個数は４個で
あったが、配置領域の個数を増減してもよい。例えば、図１１に示すように、レーベル面
の全体印刷領域Ｘに、１２個の配置領域（ハッチングした部分）を時計の文字盤の１時か
ら１２時に相当する位置に配置する。そして、画像に付加された撮影した日時の情報から
撮影した月を取得し、撮影した月と文字盤の時刻位置とが同じ位置になるように、第２の
印刷画像から切り出した部分画像領域を配置する。同じ月に撮影された第２の印刷画像が
複数あった場合は、撮影した日付けが一番古いものを一つ選択し配置してもよい。あるい
は、一番新しいものを選択してもよい。
【００８３】
こうすれば、部分画像領域が印刷された時計の文字盤の位置から、ユーザーは、撮影し
画像の内容と撮影した月がわかるので、ＣＤ−ＲＯＭやＤＶＤ−Ｒに記録された画像の内
容を容易に知ることができ、レーベル面に印刷されたＣＤ−ＲＯＭやＤＶＤ−Ｒを容易に
判別できることになる。
【００８４】
また、本発明の画像生成装置を組み込んだコンピュータ機能を有する電子機器にも本発
明は適用できる。例えば、ＦＡＸ、携帯電話、印刷装置にも本発明は適用できる。
【図面の簡単な説明】
【００８５】
【図１】第１の実施例における画像生成装置のハードウェア構成を示す説明図。
【図２】第１の実施例における画像生成装置の機能ブロック構成を示すブロック図。
【図３】第１の実施例における配置テーブルを示す説明図。
【図４】（ａ）は、配置領域Ｙ１を決定する様子を説明する説明図。（ｂ）は、配置領域Ｙ２を決定する様子を説明する説明図。（ｃ）は、配置領域Ｙ３を決定する様子を説明する説明図。
【図５】第１の実施例における印刷画像生成部が行う処理のフローチャート。
【図６】第１の実施例におけるレーベル面の印刷画像を生成する方法を示す説明図。
【図７】第２の実施例における画像生成装置のハードウェア構成を示す説明図。
【図８】第２の実施例における画像生成装置の機能ブロック構成を示すブロック図。
【図９】第２の実施例における記録媒体を示す説明図。
【図１０】（ａ）は、記録媒体から配置領域Ｙ１を決定する様子を説明する説明図。（ｂ）は、記録媒体から配置領域Ｙ２を決定する様子を説明する説明図。（ｃ）は、記録媒体から配置領域Ｙ３を決定する様子を説明する説明図。
【図１１】変形例における配置テーブルの配置領域を示す説明図。
【符号の説明】
【００８６】
１…画像生成装置、２…ＣＰＵ、３…ＲＯＭ、４…ＲＡＭ、５…ハードディスク、６…
バス、７…入出力Ｉ／Ｆ、８…ＣＤ−ＲＯＭドライブ、９…ＤＶＤ−Ｒドライブ、１０…
スキャナ装置、２０…印刷対象画像取得部、２１…第１の印刷画像選択部、２２…第１の
印刷画像決定部、２２ａ…第１の印刷画像決定部、２３…第２の印刷画像選択部、２４…
第２の印刷画像決定部、２４ａ…第２の印刷画像決定部、２５…配置決定部、２５ａ…配
置決定部、２６…印刷画像生成部、３０…第１の特定情報取得部、３１…第２の特定情報
取得部、Ｘ…レーベル面の全体印刷領域、Ｙ１…配置領域、Ｙ２…配置領域、Ｙ３…配置
領域、Ｙ４…配置領域、Ａ１…第１の印刷画像、Ａ１Ｅ…拡大された第１の印刷画像、Ａ
１ＥＰ…全体画像領域、Ｂ１…第２の印刷画像、Ｂ１Ｐ…部分画像領域、Ｂ１ＰＲ…縮小
された部分画像領域、Ｂ２…第２の印刷画像、Ｂ３…第２の印刷画像、Ｃ１…レーベル面
の印刷領域の全体に印刷する印刷画像、Ｅ１…サムネイル画像、Ｅ２…サムネイル画像、
α１…チェックボックス、α２…チェックボックス、α３…チェックボックス、α４…チ
ェックボックス、α５…チェックボックス、β１…マーク、β２…マーク、β３…マーク
、β４…マーク、β５…マーク。
【図１】
2007312275.tif 000003
【図２】
2007312275.tif 000004
【図３】
2007312275.tif 000005
【図４】
2007312275.tif 000006
【図５】
2007312275.tif 000007
【図６】
2007312275.tif 000008
【図７】
2007312275.tif 000009
【図８】
2007312275.tif 000010
【図９】
2007312275.tif 000011
【図１０】
2007312275.tif 000012
【図１１】
2007312275.tif 000013